(57)【特許請求の範囲】
【請求項１】
１フレームを２つに分割することで得られる第１〜第２サブフレームそれぞれに対応する階調を生成し、該階調に基づいて表示パネルを駆動する、表示パネル駆動装置であって、
前フレームの階調がＴｆで、後フレームの階調がＴｒとなるライズ応答において、後フレームの第１サブフレームに対応して生成される階調をＴ１、後フレームの第２サブフレームに対応して生成される階調をＴ２としたとき、上記Ｔ１およびＴ２が、Ｔ１≧Ｔｆ、Ｔ２≧Ｔｒ、およびＴ１−Ｔｆ＜Ｔ２−Ｔ１を満たしていることを特徴とする表示パネル駆動装置。
【請求項２】
第２サブフレームに対応する階調として上記Ｔ２が生成されることを特徴とする請求項１記載の表示パネル駆動装置。
【請求項３】
Ｔｆが低階調領域にある場合には、Ｔｒの増加に伴ってＴ１が増加する一方で、Ｔｆが中間階調あるいは高階調領域にある場合には、ＴｒによらずＴ１＝Ｔｆであることを特徴とする請求項１記載の表示パネル駆動装置。
【請求項４】
さらに、Ｔ１−Ｔｆ＜（Ｔｒ−Ｔｆ）×０．１ を満たしていることを特徴とする請求項１記載の表示パネル駆動装置。
【請求項５】
１フレームを２つに分割することで得られる第１〜第２サブフレームそれぞれに対応する階調を生成し、該階調を利用して表示パネルを駆動する、表示パネル駆動装置であって、
前フレームの階調がＴｆで、後フレームの階調がＴｒとなるディケイ応答において、後フレームの第１サブフレームに対応して生成される階調をＴ１、後フレームの第２サブフレームに対応して生成される階調をＴ２としたとき、上記Ｔ１およびＴ２が、Ｔ１≦Ｔｆ、Ｔ２≦Ｔｒ、およびＴｆ−Ｔ１＜Ｔ１−Ｔ２を満たしていることを特徴とする表示パネル駆動装置。
【請求項６】
第２サブフレームに対応する階調として、上記Ｔ２が生成されることを特徴とする請求項５記載の表示パネル駆動装置。
【請求項７】
さらに、Ｔｆ−Ｔ１＜（Ｔｆ−Ｔｒ）×０．１ も満たしていることを特徴とする請求項５記載の表示パネル駆動装置。
【請求項８】
上記表示パネルがＶＡモードの液晶パネルであることを特徴とする請求項１記載の表示パネル駆動装置。
【請求項９】
１フレームを２つに分割することで得られる第１〜第２サブフレームそれぞれに対応する階調を生成し、該階調を利用して表示パネルを駆動する、表示パネルの駆動方法であって、
前フレームの階調がＴｆで、後フレームの階調がＴｒとなるライズ応答において、後フレームの第１サブフレームに対応して生成される階調をＴ１、後フレームの第２サブフレームに対応して生成される階調をＴ２としたとき、上記Ｔ１およびＴ２が、Ｔ１≧Ｔｆ、Ｔ２≧Ｔｒ、およびＴ１−Ｔｆ＜Ｔ２−Ｔ１を満たしていることを特徴とする表示パネルの駆動方法。
【請求項１０】
１フレームを２つに分割することで得られる第１〜第２サブフレームそれぞれに対応する階調を生成し、該階調を利用して表示パネルを駆動する、表示パネルの駆動方法であって、
前フレームの階調がＴｆで、後フレームの階調がＴｒとなるディケイ応答において、後フレームの第１サブフレームに対応して生成される階調をＴ１、後フレームの第２サブフレームに対応して生成される階調をＴ２としたとき、上記Ｔ１およびＴ２が、Ｔ１≦Ｔｆ、Ｔ２≦Ｔｒ、およびＴｆ−Ｔ１＜Ｔ１−Ｔ２を満たしていることを特徴とする表示パネルの駆動方法。
【請求項１１】
表示パネルと、請求項１〜８のいずれか１項に記載の表示パネル駆動装置とを備えることを特徴とする表示装置。
【請求項１２】
請求項１１に記載の表示装置と、テレビジョン放送を受信するチューナ部とを備えていることを特徴とするテレビジョン受像機。
【発明の詳細な説明】
【技術分野】
【０００１】
本発明は、階調遷移を考慮して表示パネルを駆動する手法に関する。
【背景技術】
【０００２】
階調遷移を考慮して表示パネルを駆動する手法として、オーバシュート（ＯＳ）駆動を挙げることができる。従来のＯＳ駆動では、図２４のようなＯＳテーブル（ＬＵＴ）を用いる。【０００３】
例えば、現フレームの１つ前のフレーム（以下、前フレームと称する）の入力階調が０階調で、現フレーム（以下、後フレームと称する）の入力階調が２２４階調（目標階調）である場合、後フレームでは２３９階調のＯＳ階調を出力する（図１４参照）。これにより、表示パネル側に図１５に示すような応答波形（透過率変化）を得ることができる。なお、グラフ中のＯＴｎはｎ階調に対応する透過率を示すものとする。また、前フレームの入力階調が６４階調、後フレームの入力階調が２２４階調（目標階調）である場合、後フレームでは２３５階調のＯＳ階調を出力する（図１６参照）。これにより、表示パネル側に図１７に示すような応答波形を得ることができる。【０００４】
ここで、図１５・図１７を比較してみると、後フレーム終了時の到達透過率はともに同じであるが、１フレーム内の応答波形が、大きく異なっている。したがって、図１８のように、領域Ｘで、１フレーム間に６４階調→２２４階調に変化する表示を行い、領域Ｘに隣接する領域Ｙで、１フレーム間に０階調→２２４階調に変化する表示を行った場合、領域ＸがＯＴ２２４（２２４階調に対応する透過率）近傍に達した時点で、領域ＹではＯＴ９０（９０階調に対応する透過率）程度しか上昇しないことになる。このように、１フレーム内の応答波形が大きく異なると、図１８に示すような不自然な過渡状態が、動画における画像エッジ（動画エッジ）のざらつきとして視認される。【０００５】
また、前フレームの入力階調が２２４階調で、後フレームの入力階調が３２階調（目標階調）である場合、後フレームでは０階調のＯＳ階調を出力する（図１９参照）。これにより、表示パネル側に図２０に示すような応答波形（透過率変化）を得ることができる。また、前フレームの入力階調が１２８階調、後フレームの入力階調が３２階調（目標階調）である場合、後フレームでは０階調のＯＳ階調を出力する（図２１参照）。これにより、表示パネル側に図２２に示すような応答波形を得ることができる。【０００６】
ここで、図２０・図２２を比較してみると、後フレーム終了時の到達透過率はともに同じであるが、１フレーム内の応答波形が、大きく異なっている。したがって、図２３のように、領域Ｘで、１フレーム間に２２４階調→３２階調に変化する表示を行い、領域Ｘに隣接する領域Ｙで、１フレーム間に１２８階調→３２階調に変化する表示を行った場合も、図２３に示すような不自然な過渡状態が、動画における画像エッジ（動画エッジ）のざらつきとして視認される。【０００７】
なお、特許文献１には、液晶表示装置の応答速度を高めるために、連続する３つのフレームを（ｎ−２）フレーム〜第ｎフレームとして、（ｎ−２）フレームの階調およびｎフレームの階調に基づいて、真ん中の（ｎ−１）フレームの階調を補正する手法が開示されている。すなわち、図２５に示すように、（ｎ−２）フレーム〜ｎフレームの入力階調が順に、黒階調、黒階調、白階調であれば、（ｎ−１）フレームを黒階調から若干浮かせた階調に補正しておき、ｎフレームで最大階調を与えることによって該ｎフレームの応答を速め、白階調表示を高めるものである。
【特許文献１】日本国公開特許公報「特開２００４−３１０１１３号公報（公開日：２００４年１１月４日）」
【発明の開示】
【０００８】
しかしながら、特許文献１開示の方法を適用しても、図１８のような動画表示を行った場合には図１５および図１７のような応答波形になってしまい、動画エッジがざらついてしまう。
【０００９】
本発明は、上記課題に鑑みてなされたものであり、その目的は、表示パネルの動画表示品位を高めうる表示パネル駆動装置を提供する点にある。
【００１０】
本発明に係る表示パネル駆動装置は、１フレームを分割することで得られる第１〜第ｎサブフレームそれぞれに対応する階調を生成し、該階調に基づいて表示パネルを駆動する、表示パネル駆動装置であって、前フレームの階調がＴｆで、後フレームの階調がＴｒとなるライズ応答において、後フレームの第１サブフレームに対応して生成される階調をＴ１、後フレームの第２〜第ｎサブフレームのいずれか１つに対応して生成される階調をＴ２としたとき、上記Ｔ１およびＴ２が、Ｔ１≧Ｔｆ、Ｔ２≧Ｔｒ、およびＴ１−Ｔｆ＜Ｔ２−Ｔ１ を満たしていることを特徴とする。
【００１１】
上記構成は、第１サブフレームで、前フレーム終了状態とあまり差異のない中間状態を形成しておき、この中間状態から後フレームの終了状態に到達させるものである。こうすれば、前・後フレームの階調遷移（ＴｆとＴｒの組み合わせ）に関わらず表示パネル側の１フレーム内の応答波形をある程度揃えることが可能となり、動画エッジのざらつきを低減することができる。これにより、上記表示パネルにおける動画表示品位を高めることができる。上記構成においては、第２サブフレームに対応する階調として上記Ｔ２が生成されても良い。
【００１２】
上記構成においては、Ｔｆが低階調領域にある場合には、Ｔｒの増加に伴ってＴ１が増加する一方で、Ｔｆが中間階調あるいは高階調領域にある場合には、ＴｒによらずＴ１＝Ｔｆとすることが好ましい。
【００１３】
上記構成は、ライズ応答が厳しくなる、Ｔｆが低階調領域（特に０階調近傍）にある場合に、後フレームの階調Ｔｒの増加に従ってＴ１も増加させるものである。こうすれば、第１サブフレームで必要なチルト用階調を与えておくことができ、第２サブフレームでの応答速度を高めることができる。一方、Ｔｆが中間階調あるいは高階調領域にある場合には、ライズ応答が楽であるため、ＴｒによらずＴ１＝Ｔｆとしておく。こうすれば、上記中間状態を前フレーム終了状態と等しくすることができる。これにより、１フレーム内の応答波形が揃い、動画エッジのざらつきをより低減することができる。
【００１４】
上記構成においては、さらに、Ｔ１−Ｔｆ＜（Ｔｒ−Ｔｆ）×０．１ を満たしていることが好ましい。第１サブフレームで与えるチルト用階調を小さくしておく（階調遷移量の１割未満とする）ことで、第１サブフレーム終了時の状態（中間状態）を前フレーム終了状態とほぼ等しくしつつ、第２サブフレームでの応答速度を高めることができる。これにより、１フレーム内の応答波形が揃い、動画エッジのざらつきを一層低減することができる。
【００１５】
本発明の表示パネル駆動装置は、１フレームを分割することで得られる第１〜第ｎサブフレームそれぞれに対応する階調を生成し、該階調を利用して表示パネルを駆動する、表示パネル駆動装置であって、前フレームの階調がＴｆで、後フレームの階調がＴｒとなるディケイ応答において、後フレームの第１サブフレームに対応して生成される階調をＴ１、後フレームの第２〜第ｎサブフレームのいずれか１つに対応して生成される階調をＴ２としたとき、上記Ｔ１およびＴ２が、Ｔ１≦Ｔｆ、Ｔ２≦Ｔｒ、およびＴｆ−Ｔ１＜Ｔ１−Ｔ２を満たしていることを特徴とする。
【００１６】
上記構成は、第１サブフレームで、前フレーム終了状態とあまり差異のない中間状態を形成しておき、この中間状態から後フレームの終了状態に到達させるものである。こうすれば、前・後フレームの階調遷移（ＴｆとＴｒの組み合わせ）に関わらず、表示パネル側の１フレーム内の応答波形を揃えることが可能となり、動画エッジのざらつきを低減することができる。これにより、上記表示パネルにおける動画表示品位を高めることができる。この構成においては、第２サブフレームに対応する階調として上記Ｔ２が生成されても良い。
【００１７】
上記構成においては、さらに、Ｔｆ−Ｔ１＜（Ｔｆ−Ｔｒ）×０．１ も満たしていることが好ましい。第１サブフレームで与えるチルト用階調を小さくしておく（階調遷移量の１割未満とする）ことで、第１サブフレーム終了時の状態（中間状態）を前フレーム終了状態とほぼ等しくしつつ、第２サブフレームでの応答速度を高めることができる。これにより、１フレーム内の応答波形が揃い、動画エッジのざらつきを一層低減することができる。
【００１８】
本表示パネル駆動装置においては、上記表示パネルがＶＡモードの液晶パネルであっても良い。
【００１９】
また、本発明の表示パネルの駆動方法は、１フレームを分割することで得られる第１〜第ｎサブフレームそれぞれに対応する階調を生成し、該階調を利用して表示パネルを駆動する、表示パネルの駆動方法であって、前フレームの階調がＴｆで、後フレームの階調がＴｒとなるライズ応答において、後フレームの第１サブフレームに対応して生成される階調をＴ１、後フレームの第２〜第ｎサブフレームのいずれか１つに対応して生成される階調をＴ２としたとき、上記Ｔ１およびＴ２が、Ｔ１≧Ｔｆ、Ｔ２≧Ｔｒ、およびＴ１−Ｔｆ＜Ｔ２−Ｔ１ を満たしていることを特徴とする。
【００２０】
また、本発明の表示パネルの駆動方法は、１フレームを分割することで得られる第１〜第ｎサブフレームそれぞれに対応する階調を生成し、該階調を利用して表示パネルを駆動する、表示パネルの駆動方法であって、前フレームの階調がＴｆで、後フレームの階調がＴｒとなるディケイ応答において、後フレームの第１サブフレームに対応して生成される階調をＴ１、後フレームの第２〜第ｎサブフレームのいずれか１つに対応して生成される階調をＴ２としたとき、上記Ｔ１およびＴ２が、０≦Ｔｆ、Ｔ２≦Ｔｒ、およびＴｆ−Ｔ１＜Ｔ１−Ｔ２を満たしていることを特徴とする。
【００２１】
また、本発明の表示装置（例えば、液晶表示装置）は、表示パネルと、上記の表示パネル駆動装置とを備えることを特徴とする。
【００２２】
また、本発明のテレビジョン受像機は、上記表示装置と、テレビジョン放送を受信するチュ−ナ部とを備えていることを特徴とする。
【００２３】
以上のように、本発明の表示パネル駆動装置は、第１サブフレームで前フレーム終了状態とあまり差異のない中間状態を形成しておき、この中間状態から後フレームの終了状態に到達させるものである。こうすれば、前・後フレームの階調遷移（ＴｆとＴｒの組み合わせ）に関わらず表示パネル側の１フレーム内の応答波形をある程度揃えることが可能となり、動画エッジのざらつきを低減することができる。これにより、表示パネルにおける動画表示品位を高めることができる。
【図面の簡単な説明】
【００２４】
【図１】本実施の形態において０→２２４階調のライズ応答を行うときの各サブフレームの階調を示すグラフである。
【図２】本実施の形態において０→２２４階調のライズ応答を行うときの液晶パネル側の応答波形（透過率変化）を示すグラフである。
【図３】本実施の形態において６４→２２４階調のライズ応答を行うときの各サブフレームの階調を示すグラフである。
【図４】本実施の形態において６４→２２４階調のライズ応答を行うときの液晶パネル側の応答波形（透過率変化）を示すグラフである。
【図５】本実施の形態に係る液晶表示装置の構成を示すブロック図である。
【図６】本実施の形態に係る第１サブフレームデータ用ＬＵＴを示す表である。
【図７】本実施の形態に係る第２サブフレームデータ用ＬＵＴを示す表である。
【図８】本実施の形態の効果（ライズ応答時の動画エッジのざらつき低減）を説明する模式図である。
【図９】本実施の形態において１２８→３２階調のディケイ応答を行うときの各サブフレームの階調を示すグラフである。
【図１０】本実施の形態において１２８→３２階調のディケイ応答を行うときの液晶パネル側の応答波形（透過率変化）を示すグラフである。
【図１１】本実施の形態において２２４→３２階調のディケイ応答を行うときの各サブフレームの階調を示すグラフである。
【図１２】本実施の形態において２２４→３２階調のディケイ応答を行うときの液晶パネル側の応答波形（透過率変化）を示すグラフである。
【図１３】本実施の形態の効果（ディケイ応答時の動画エッジのざらつき低減）を説明する模式図である。
【図１４】従来のＯＳ駆動において０→２２４階調のライズ応答を行うときの出力階調を示すグラフである。
【図１５】従来のＯＳ駆動において０→２２４階調のライズ応答を行うときの液晶パネル側の応答波形（透過率変化）を示すグラフである。
【図１６】従来のＯＳ駆動において６４→２２４階調のライズ応答を行うときの出力階調を示すグラフである。
【図１７】従来のＯＳ駆動において６４→２２４階調のライズ応答を行うときの液晶パネル側の応答波形（透過率変化）を示すグラフである。
【図１８】従来の問題点である動画エッジのざらつき（ライズ応答時）を説明する模式図である。
【図１９】従来のＯＳ駆動において２２４→０階調のディケイ応答を行うときの出力階調を示すグラフである。
【図２０】従来のＯＳ駆動において２２４→０階調のディケイ応答を行うときの液晶パネル側の応答波形（透過率変化）を示すグラフである。
【図２１】従来のＯＳ駆動において２２４→６４階調のディケイ応答を行うときの出力階調を示すグラフである。
【図２２】従来のＯＳ駆動において２２４→６４階調のディケイ応答を行うときの液晶パネル側の応答波形（透過率変化）を示すグラフである。
【図２３】従来の問題点である動画エッジのざらつき（ディケイ応答時）を説明する模式図である。
【図２４】従来のＯＳ駆動に用いるＬＵＴを示す表である。
【図２５】従来のＯＳ駆動における液晶パネル側の応答波形（透過率変化）を示すグラフである。
【図２６】本実施の形態に係るテレビジョン受像機の構成を示すブロック図である。
【符号の説明】
【００２５】
３  ソースドライバ
６  メモリ
９  信号処理部
１０  液晶パネル
１８  第１サブフレームデータ用ＬＵＴ
１９  第２サブフレームデータ用ＬＵＴ
２０  液晶表示装置
２２  サブフレームデータ生成部（液晶パネル駆動装置）
２５  サブフレームデータ選択部
３０  前フレームメモリ
４０  後フレームメモリ
ＤＦ  フレームデータ
ＤＦ（ｎ−１）  前フレームデータ
ＤＦｎ  後フレームデータ（現フレームデータ）
ＤＳＦｎ１  第１サブフレームデータ
ＤＳＦｎ２  第２サブフレームデータ
【発明を実施するための最良の形態】
【００２６】
本実施の形態を図１〜図１３および図２６に基づいて説明すれば、以下のとおりである。図５は本液晶表示装置の構成を示すブロック図である。同図に示すように、本液晶表示装置２０は、ＶＡモードの液晶パネル１０と、信号処理部９およびソースドライバ３を備える液晶パネル駆動装置（図示せず）とを備える。なお、液晶パネル１０とソースドライバ３とは一体化されていても構わない。また、液晶パネル１０のガンマを２．２とする。【００２７】
信号処理部９は、メモリ（記憶部）６、サブフレームデータ生成部２２、サブフレームデータ選択部２５、およびフィールドカウンタ部３５を備える。ここで、メモリ６は、第１サブフレームデータ用ＬＵＴ１８、第２サブフレームデータ用ＬＵＴ１９、前フレーム用フレームメモリ３０、および後フレーム用フレームメモリ４０を備える。【００２８】
信号処理部９には、フレームデータ（入力階調）ＤＦが６０〔Ｈｚ〕で入力される。そして、前フレームメモリ３０には、前フレームのフレームデータＤＦ（ｎ−１）が１フレーム分格納され、後フレームメモリ４０には、後フレーム（現フレーム）のフレームデータＤＦｎが１フレーム分格納される。【００２９】
サブフレームデータ生成部２２は、各フレームメモリ（３０・４０）から、前フレームのフレームデータＤＦ（ｎ−１）と、後フレームのフレームデータＤＦｎとを倍速（１２０Ｈｚ）で読み出し、第１サブフレームデータ用ＬＵＴ１８を参照して第１サブフレームデータＤＳＦｎ１を生成するとともに、第２サブフレームデータ用ＬＵＴ１９を参照して第２サブフレームデータＤＳＦｎ２を生成する。【００３０】
この第１サブフレームデータＤＳＦｎ１および第２サブフレームデータＤＳＦｎ２はサブフレームデータ選択部２５に入力され、このサブフレームデータ選択部２５では、これらデータＤＳＦｎ１・ＤＳＦｎ２が１２０Ｈｚで入れ替わることになる。なお、フィールドカウンタ部３５は、後フレームメモリ３０からの出力をウォッチして、第１サブフレームのタイミングか、あるいは第２サブフレームのタイミングかを判定し、その判定結果をサブフレームデータ選択部２５に出力する。【００３１】
サブフレームデータ選択部２５は、フィールドカウンタ部３５の判定結果に基づいて、第１サブフレームの開始タイミングで第１サブフレームデータＤＳＦｎ１をソースドライバ３に出力し、第２サブフレームの開始タイミングで第２サブフレームデータＤＳＦｎ２をソースドライバ３に出力する。【００３２】
ソースドライバ３は、各サブフレームデータ（ＤＳＦｎ１・ＤＳＦｎ２）をアナログの電位信号に変換し、この電位信号によって液晶パネル１０の各ソースライン（データ信号線）を駆動する。【００３３】
以下に、サブフレームデータ生成部２２による第１および第２サブフレームデータ（ＤＳＦｎ１・ＤＳＦｎ２）の生成についての一具体例を説明する。図６は、第１サブフレームデータ用ＬＵＴ１８の一例であり、図７は、第２サブフレームデータ用ＬＵＴ１９の一例である。図６に示されるように、第１サブフレームデータ用ＬＵＴ１８には、前フレームのフレームデータＤＦ（ｎ−１）（入力階調Ｔｆ）と後フレームのフレームデータＤＦｎ（入力階調Ｔｒ）との組み合わせに応じた（後フレームの）第１サブフレームデータＤＳＦｎ１（生成階調Ｔ１）が書き込まれている。また、図７に示されるように、第２サブフレームデータ用ＬＵＴ１９には、前フレームのフレームデータＤＦ（ｎ−１）（入力階調Ｔｆ）と後フレームのフレームデータＤＦｎ（入力階調Ｔｒ）との組み合わせに応じた（後フレームの）第２サブフレームデータＤＳＦｎ２（生成階調Ｔ２）が書き込まれている。なお、各表に記載された組み合わせ以外については、例えば直線補間により求める。【００３４】
図６・７に示すように、前フレームより後フレームの階調が高いライズ応答（Ｔｆ＜Ｔｒ）に関しては、Ｔ１≧Ｔｆ、Ｔ２≧Ｔｒ、およびＴ１−Ｔｆ＜Ｔ２−Ｔ１、さらに、Ｔ１−Ｔｆ＜（Ｔｒ−Ｔｆ）×０．１が満たされている。加えて、Ｔｆが低階調（０〜６４階調）領域にある場合には、Ｔｒの増加に伴ってＴ１が増加する一方で、Ｔｆが中間階調あるいは高階調（６４階調〜２５５階調）領域にある場合には、ＴｒによらずＴ１＝Ｔｆとなっている。【００３５】
例えば、前フレームの入力階調Ｔｆが０階調で後フレームの入力階調Ｔｒが２２４階調であれば、第１サブフレームの階調として７階調が生成され、第２サブフレームの階調として２５５階調が生成される。また、前フレームの入力階調Ｔｆが６４階調で後フレームの入力階調Ｔｒが２２４階調であれば、第１サブフレームの階調として６８階調が生成され、第２サブフレームの階調として２４８階調が生成される。また、前フレームの入力階調Ｔｆが０階調で後フレームの入力階調Ｔｒが２５５階調であれば、第１サブフレームの階調として８階調が生成され、第２サブフレームの階調として２５５階調が生成される。【００３６】
一方、図６・７に示すように、前フレームより後フレームの階調が低いディケイ応答（Ｔｆ＞Ｔｒ）に関しては、Ｔ１≦Ｔｆ、Ｔ２≦Ｔｒ、およびＴｆ−Ｔ１＜Ｔ１−Ｔ２、さらに、Ｔｆ−Ｔ１＜（Ｔｆ−Ｔｒ）×０．１が満たされている。【００３７】
例えば、前フレームの入力階調が２２４階調で後フレームの入力階調が３２階調であれば、第１サブフレームの階調として２２２階調が生成され、第２サブフレームの階調として０階調が生成される。また、前フレームの入力階調が１２８階調で後フレームの入力階調が３２階調であれば、第１サブフレームの階調として１２８階調が生成され、第２サブフレームの階調として４階調が生成される。また、前フレームの入力階調が２５５階調で後フレームの入力階調が０階調であれば、第１サブフレームの階調として２４８階調が生成され、第２サブフレームの階調として０階調が生成される。【００３８】
なお、前フレームと後フレームとで階調遷移のない、あるいはほとんどない応答では、第１サブフレームの階調および第２サブフレームの階調として、後フレームの階調が生成される。【００３９】
本実施の形態に係る信号処理部は、上記第１および第２サブフレームデータ用ＬＵＴを備えているため、以下のように液晶パネルの動画表示品位を高めることができる。【００４０】
すなわち、図８のように、領域Ｘで、１フレーム間に６４階調→２２４階調に変化する表示を行い、領域Ｘに隣接する領域Ｙで、１フレーム間に０階調→２２４階調に変化する表示を行った場合、領域Ｘでは、第１サブフレームの階調として６８階調が、第２サブフレームの階調として２４８階調が出力され（図３参照）、領域Ｙでは、第１サブフレームの階調として７階調が、第２サブフレームの階調として２５５階調が出力される（図１参照）。【００４１】
この結果、液晶パネル側の応答波形（透過率変化）は、領域Ｘでは図４のように、領域Ｙでは図２のようになり、両波形を揃えることが可能となる。なお、図中のＯＴｎはｎ階調に対応する透過率〔％〕を示すものとする。領域Ｙの応答では、第１サブフレームで７階調（チルト用階調）を与え、第２サブフレームで後フレームの階調以上の２５５階調（オーバシュート階調）を与えることで、第２サブフレームの応答速度を高めている。すなわち、本実施の形態によれば、図８に示すように、Ｘ領域およびＹ領域において１フレームの中間点で前フレーム終了状態とほとんど差異のない中間状態を形成しておき、この中間状態から一気に（高速で）後フレームの終了状態に到達させることが可能となる。【００４２】
このように、ライズ応答を行うＸ領域およびＹ領域の１フレーム内の波形を揃えることで、図１８に示すような不自然な過渡状態はなくなり、動画エッジのざらつきを大幅に低減することができる。【００４３】
また、図１３のように、領域Ｘで、１フレーム間に１２８階調→３２階調に変化する表示を行い、領域Ｘに隣接する領域Ｙで、１フレーム間に２２４階調→３２階調に変化する表示を行った場合、領域Ｘでは、第１サブフレームの階調として１２８階調が、第２サブフレームの階調として４階調が出力され（図９参照）、領域Ｙでは、第１サブフレームの階調として２２２階調が、第２サブフレームの階調として０階調が出力される（図１１参照）。【００４４】
この結果、液晶パネル側の応答波形（透過率変化）は、領域Ｘでは図１０のように、領域Ｙでは図１２のようになり、両波形を揃えることが可能となる。領域Ｙの応答では、第１サブフレームで２２２階調（チルト用階調）を与え、第２サブフレームで後フレームの階調未満の０階調（オーバシュート階調）を与えることで、第２サブフレームの応答速度を高めている。すなわち、本実施の形態によれば、図１３に示すように、Ｘ領域およびＹ領域において１フレームの中間点で前フレーム終了状態とほとんど差異のない中間状態を形成しておき、この中間状態から一気に（高速で）後フレームの終了状態に到達させることが可能となる。【００４５】
このように、ディケイ応答を行うＸ領域およびＹ領域の１フレーム内の波形を揃えることで、図２３に示すような不自然な過渡状態はなくなり、動画エッジのざらつきを大幅に低減することができる。【００４６】
なお、図５における信号処理部９の各部（サブフレームデータ生成部２２やサブフレームデータ選択部２５等）の機能は、例えば、ＡＳＩＣやＣＰＵによって実現可能である。【００４７】
本実施の形態のテレビジョン受像機（液晶テレビ）は、図２６に示すように、本液晶表示装置２０と、テレビジョン放送を受信して映像信号を出力するチューナ部７０とを備える。すなわち、本テレビジョン受像機９０では、チューナ部７０から出力された映像信号に基づいて液晶表示装置２０が映像（画像）表示を行う。
【産業上の利用可能性】
【００４８】
本発明の液晶パネル駆動装置およびこれを備えた表示装置は、例えば液晶テレビに好適である。
【図１】
0004824087.tif 000002
【図２】
0004824087.tif 000003
【図３】
0004824087.tif 000004
【図４】
0004824087.tif 000005
【図５】
0004824087.tif 000006
【図６】
0004824087.tif 000007
【図７】
0004824087.tif 000008
【図８】
0004824087.tif 000009
【図９】
0004824087.tif 000010
【図１０】
0004824087.tif 000011
【図１１】
0004824087.tif 000012
【図１２】
0004824087.tif 000013
【図１３】
0004824087.tif 000014
【図１４】
0004824087.tif 000015
【図１５】
0004824087.tif 000016
【図１６】
0004824087.tif 000017
【図１７】
0004824087.tif 000018
【図１８】
0004824087.tif 000019
【図１９】
0004824087.tif 000020
【図２０】
0004824087.tif 000021
【図２１】
0004824087.tif 000022
【図２２】
0004824087.tif 000023
【図２３】
0004824087.tif 000024
【図２４】
0004824087.tif 000025
【図２５】
0004824087.tif 000026
【図２６】
0004824087.tif 000027